(57)【特許請求の範囲】
【請求項１】
通気性シートと非通気性シートの周縁部同士を熱圧着して形成される袋体内に発熱材を封入した使い捨てカイロであって、前記周縁部同士の熱圧着後の前記通気性シートと前記非通気性シートの横幅の長さが略同一であり、前記袋体を前記通気性シートが内側になるように中央部分で折り曲げて二つ折りにし、且つ、前記通気性シートは、前記非通気性シート側に形成される難剥離性接合部と、該難剥離性接合部上に形成されるナイロンフィルムからなる強度維持部と、該強度維持部上の前記二つ折りした袋体の前記折り曲げ部分を除く縁部に形成され互いに対向する該縁部同士の熱圧着によるシール剥離強度が８〜２４（Ｎ／２５ｍｍ）であるポリエチレンフィルムの表面にスチロール樹脂を配位してなる易剥離性接合部とからなり、該易剥離性接合部を引き剥がして使用するよう構成した二つ折り型使い捨てカイロ。
【請求項２】
前記二つ折りした袋体の前記折り曲げ部分を除く前記縁部の一部に、前記易剥離性接合部を引き剥がす際の操作片が延設されていることを特徴とする請求項１記載の二つ折り型使い捨てカイロ。
【請求項３】
前記非通気性シートの外側に粘着剤層を設けると共に、該粘着剤層を剥離自在な剥離シートで覆ったことを特徴とする請求項１または２記載の使い捨てカイロ。
【発明の詳細な説明】
【技術分野】
【０００１】
本発明は使い捨てカイロに関し、詳しくは、通気性シートと非通気性シートの周縁部同士を熱圧着して形成される袋体内に発熱材を封入した使い捨てカイロにおける、包装構造の改良に関する。
【背景技術】
【０００２】
今日、鉄粉等を含有した発熱材を通気性のある扁平状の袋体内に封入した使い捨てカイロが広く普及している。この種使い捨てカイロは、非通気性シートよりなる外装袋の中に一つずつ気密状に封入して包装され、使用時にその外装袋を破って取り出したときに、空気中の酸素が袋体を通過して鉄粉等と反応し、発熱材が発熱するようになっている。
発熱材を封入する袋体は、通常、略同一形状の通気性シートと非通気性シート、又は通気性シート同士における、互いの周縁部同士を熱圧着して扁平袋状に形成される。
【０００３】
このような従来の使い捨てカイロは、製造時に一つずつ外装袋に封入しなければならず、製造工程の簡素化、低コスト化に限界があった。また、使用時に外装袋を破って取り出さなければならないので面倒であるばかりか、外装袋はゴミになるので、地球環境保護の面からも改良が望まれていた。
【０００４】
このような問題を解消するために、例えば特許文献１、２には、袋体を構成する通気性シートの外側に非通気性の外装用の剥離シート（外装シート）を剥離自在に接合して、外装袋を不要とすることが提案されている。
【０００５】
【特許文献１】実開昭６１−８００１５号公報
【特許文献２】特開２００２−３６０６２４号公報
【発明の開示】
【発明が解決しようとする課題】
【０００６】
しかし、このような従来技術においても、袋体を構成する通気性シートの外側に外装シートを接合しなければならないので、製造工程の大幅な簡素化、低コスト化は困難であり、また、使用時に外装シートを剥さなければならないので面倒であるばかりか、剥した外装シートはゴミになるという問題が残っていた。
【０００７】
本発明はこのような従来事情に鑑みて成されたもので、その目的とする処は、前述した外装袋や外装シートなどを一切不要として、製造工程の簡素化、低コスト化を図れると共に、簡単に使用ができて、カイロ本体以外のゴミを大幅に低減し得る新規な使い捨てカイロを提供することにある。
【課題を解決するための手段】
【０００８】
以上の目的を達成するために、本発明は、通気性シートと非通気性シートの周縁部同士を熱圧着して形成される袋体内に発熱材を封入した使い捨てカイロであって、前記周縁部同士の熱圧着後の前記通気性シートと前記非通気性シートの横幅の長さが略同一であり、前記袋体を前記通気性シートが内側になるように中央部分で折り曲げて二つ折りにし、且つ、前記通気性シートは、前記非通気性シート側に形成される難剥離性接合部と、該難剥離性接合部上に形成されるナイロンフィルムからなる強度維持部と、該強度維持部上の前記二つ折りした袋体の前記折り曲げ部分を除く縁部に形成され互いに対向する該縁部同士の熱圧着によるシール剥離強度が８〜２４（Ｎ／２５ｍｍ）であるポリエチレンフィルムの表面にスチロール樹脂を配位してなる易剥離性接合部とからなり、該易剥離性接合部を引き剥がして使用するよう構成した二つ折り型使い捨てカイロであることを特徴とする。
【０００９】
このような構成によれば、袋体を、非通気性シートが外側に、通気性シートが内側になるよう折り曲げて二つ折りにし、且つ、その通気性シートにおける互いに対向する縁部同士を熱圧着するので、通気性シートが空気に触れることのない包装構造となる。すなわち、外装袋や外装シートなどを用いることなく、使用時まで発熱材が空気に触れない二つ折り構造の使い捨てカイロとなる。また、二つ折りされた通気性シートにおける互いに対向する縁部同士を剥離可能に熱圧着して易剥離性接合部としたので、該易剥離性接合部を引き剥がして二つ折り状態の袋体を広げれば、袋体の通気性シート面が露出して空気に触れ、空気中の酸素が通気性シートを通過して鉄粉等と反応し、発熱材が発熱して使用可能となる。
【００１０】
使用時において、前記した易剥離性接合部を引き剥がして二つ折り状態の袋体を広げ易くするために、前記二つ折りした袋体の前記折り曲げ部分を除く周縁部の一部に、前記易剥離性接合部を引き剥がす際の操作片が延設されていることが好ましい。
該操作片は、前記二つ折りされた通気性シートにおける互いに対向する縁部同士を剥離可能に熱圧着して易剥離性接合部を形成する際に、該易剥離性接合部の外側に、前記通気性シートの縁部の一部を非熱圧着部とすることで容易に形成することができる。
【００１１】
前記した袋体の周縁部を形成する前記通気性シートと前記非通気性シートの周縁部同士は、二つ折りされた前記通気性シートにおける互いに対向する縁部同士の接合強度よりも大きい接合強度をもって熱圧着されている。
すなわち、前記通気性シートと前記非通気性シートの周縁部同士を、難剥離性をもって熱圧着して前記袋体が形成されていることが好ましい。
より具体的には、袋体が形成される際の、通気性シートと非通気性シートの周縁部同士の熱圧着によるシール強度（接合強度）を、例えば１５（Ｎ／２５ｍｍ）以上、好ましくは２０（Ｎ／２５ｍｍ）以上として、該袋体自体の周縁部を難剥離性接合部とし、一方、二つ折りされた前記通気性シートにおける互いに対向する縁部同士の熱圧着によるシール強度（剥離強度）を、例えば８〜２４（Ｎ／２５ｍｍ）、好ましくは１０〜１７（Ｎ／２５ｍｍ）程度とし、且つ前記シール強度（接合強度）＞該シール強度（剥離強度）となるようにして、該縁部を易剥離性接合部とする。
尚、前記した各シール強度（接合強度、剥離強度）は、熱圧着された二枚のシートを中央にしてその端部を１８０度開き、その状態で、各シートの端部を引張試験機のつかみ具に固定した後、前記熱圧着された二枚のシートが剥離するまで引張応力を加えて、剥離するまでの最大応力を求めたものである。
【００１２】
二つ折りされた前記通気性シートにおける互いに対向する縁部同士の熱圧着によるシール強度（剥離強度）を前記した範囲になるようにして、該縁部を易剥離性接合部とするために、前記通気性シートの最外層が、該最外層の周縁部同士を熱圧着した際に、易剥離性をもって接合されるフィルム（所謂イージーピールフィルム）からなることが好ましい。
イージーピールフィルムとしては、例えば、ポリエチレンフィルムの表面にスチロール樹脂などを配位してなり、手で引き剥がし可能な剥離強度をもって相互に熱圧着されるイージーピール性を有するフィルム（例えば、東レフィルム加工（株）社製の「ＣＦフィルム７６０１Ｅシリーズ」など）を用いることができる。
【００１３】
以上説明した二つ折り型使い捨てカイロは、例えば、衣服のポケットなどに入れて使用する、所謂「貼らないタイプ」として用いるものであるが、本発明は、肌着などに貼り付けて使用する、所謂「貼るタイプ」のものに適用することもできる。
その場合、前記非通気性シートの外側に粘着剤層を設けると共に、該粘着剤層を剥離自在な剥離シートで覆う構成を付加すれば良い。ここで、粘着剤層は、非通気性シートの外側に部分的に設けても良いし、該外側の全面に設けても良い。
このような構成とした場合、剥離シートを剥して粘着剤層を露出させれば、肌着などに貼り付けて使用する所謂「貼るタイプ」の使い捨てカイロとして使用することができる。
【発明の効果】
【００１４】
以上説明したように本発明は、使用時まで発熱材が空気に触れないようにした二つ折り構造の使い捨てカイロであって、その周縁部を易剥離性接合部とし、該易剥離性接合部を引き剥がして二つ折り状態の袋体を広げれば、発熱材が発熱して使用可能となる。よって、外装袋や外装シートなどの外装材が不要となり、製造工程の簡素化、低コスト化を促進し得ると共に、二つ折り状態の袋体を広げるだけで簡単に使用することができる。また、外装材を不要とした極めて簡素な外装レスタイプの包装構造を実現して、使用後のゴミの発生を大幅に低減し、地球環境にも優しい使い捨てカイロとして提供し得るなど、多くの効果を奏する。
【発明を実施するための最良の形態】
【００１５】
以下、本発明に係る使い捨てカイロの実施形態の例を図面に基づいて説明する。
図１〜図５に示す使い捨てカイロａは、発熱材１を略扁平状の袋体２内に封入したものであって、発熱材１は、例えば鉄粉、水、バーミキュライト、活性炭、塩類等が混合された混合粉体で、酸素と反応して発熱するものである。尚、発熱材として、前記混合粉体をシート状に成形したり、シート状物に前記混合粉体を保持させたものを用いることもできる。
【００１６】
袋体２は、内部の発熱材１に酸素を供給できるように少なくともその一部分が通気性を有するようになっており、詳しくは、略同一形状の通気性シート３と非通気性シート４の周縁部同士を、２０（Ｎ／２５ｍｍ）程度のシール強度（接合強度）をもって熱圧着して難剥離性接合部５とすることにより、略扁平な袋状に形成されている。
【００１７】
通気性シート３は、最内層（非通気性シート４との接合面）が低密度ポリエチレンフィルムなどからなる難剥離性接合層３ａであり、その上に、ナイロンフィルムなどからなる強度維持層３ｂを積層し、その上に、最外層（袋体２の表面層）としてのイージーピールフィルムからなる易剥離性接合層３ｃを積層した積層シートであって、周縁部以外の部分に微小径の貫通孔（不図示）が多数形成された多孔シートからなる。
【００１８】
非通気性シート４は、最内層（通気性シート３との接合面）が低密度ポリエチレンフィルムなどからなる難剥離性接合層４ａであり、その上に、塩化ビニリデンフィルムなどからなるバリアー層４ｂを積層し、その上に、最外層（袋体２の表面層）としてのポリプロピレンフィルムからなる非通気層４ｃを積層した積層シートからなる。
【００１９】
このような通気性シート３と非通気性シート４の周縁部同士を、所定温度と所定圧をもって熱圧着することで、互いの最内層である難剥離性接合層（低密度ポリエチレンフィルム）３ａ，４ａ同士が２０（Ｎ／２５ｍｍ）程度のシール強度をもって接合され、これにより難剥離性接合部５が形成されて、前述の袋体２が構成される。
【００２０】
また、袋体２は、図４，図５に示すように、通気性シート３が内側になるように中央部分で折り曲げて二つ折りにし、且つ、通気性シート３における折り曲げ部分１０を除く互いに対向する縁部同士を剥離可能に熱圧着して、二つ折りした袋体２の前記折り曲げ部分１０を除く周縁部を易剥離性接合部６とし、該易剥離性接合部６を引き剥がして使用される二つ折り型使い捨てカイロａを構成する。
【００２１】
すなわち、二つ折りされた通気性シート３における折り曲げ部分１０を除く互いに対向する縁部同士を、所定温度と所定圧をもって熱圧着することで、互いの最外層である易剥離性接合層（イージーピールフィルム）３ｃ，３ｃの縁部同士が１０〜１７（Ｎ／２５ｍｍ）程度のシール強度（剥離強度）をもって接合され、これにより易剥離性接合部６が形成されて、前述の二つ折り型使い捨てカイロａを構成する。
【００２２】
二つ折りした袋体２の前記折り曲げ部分１０を除く周縁部の一部には、前記した易剥離性接合部６を引き剥がす際の操作片７ａ，７ｂが延設されている。
操作片７ａ，７ｂは、前記二つ折りされた通気性シート３における互いに対向する縁部同士を剥離可能に熱圧着して易剥離性接合部６を形成する際に、該易剥離性接合部６の外側に、通気性シート３の縁部の一部を非熱圧着部とすることで容易に形成することができる。
このようにして形成された操作片７ａ，７ｂを備えることで、使用時において、易剥離性接合部６を引き剥がして、二つ折り状態の袋体２を容易に広げることができる。
【００２３】
以上の構成になる本例の使い捨てカイロａによれば、製造時に、内部に発熱材１が封入された袋体２を形成し、且つ、該袋体２を、通気性シート３が内側になるように中央部分１０で折り曲げて二つ折りにし、通気性シート３における前記折り曲げ部分１０を除く互いに対向する縁部同士を剥離可能に熱圧着して、前記二つ折りした袋体２の前記折り曲げ部分１０を除く周縁部を易剥離性接合部６とした二つ折り型使い捨てカイロａを形成する（図４，図５参照）。
【００２４】
このような二つ折り型使い捨てカイロａは、袋体２の通気面（通気性シート３で形成された面）が空気に触れることのない構造となるので、非通気性シートからなる外装袋に封入したり外装シートで覆うような必要なく、そのままの状態で保管、搬送が可能な包装構造となる。
【００２５】
使用する際は、操作片７ａ，７ｂを指で摘んで易剥離性接合部６を引き剥がして二つ折り状態の袋体２を広げれば、通常の使い捨てカイロａ（図１、図２参照）の状態になる。この状態で、袋体２の通気性シート３が露出して空気に触れ、空気中の酸素が通気性シート３を通過して鉄粉等と反応し、発熱材１が発熱して使用可能となる。
【００２６】
前記した使い捨てカイロａは、本発明を、所謂「貼らないタイプ」のカイロとして適用したものであり、図６〜図８に、所謂「貼るタイプ」のカイロに適用した例を示す。
この例の使い捨てカイロａ’は、図１〜図５に示す使い捨てカイロａの外側に粘着剤層１１を設けて「貼るタイプ」のカイロとして構成したもので、それ以外の構成部分は前記した使い捨てカイロａと同様のため、図中に同一の符号を付すなどして、重複する図示及び説明を一部省略する。
【００２７】
すなわち、この例の二つ折り型使い捨てカイロａ’は、前記した非通気性シート４の外側の全面又は部分的に粘着剤層１１を設けると共に、この粘着剤層１１を、ポリエチレンフィルムなどの剥離自在な剥離シート１２で覆ったものである。
【００２８】
このような構成としたこの例の二つ折り型使い捨てカイロａ’は、前記したカイロａと同様の作用効果を有すると共に、使用時に、剥離シート１２を剥して粘着剤層１１を露出させれば、肌着などに貼り付けて使用する所謂「貼るタイプ」の使い捨てカイロとして使用することができる。
【００２９】
尚、図示例においては、長方形状の通気性シート３と非通気性シート４からなる袋体２の幅方向（若しくは長さ方向）の中央部分１０で折り曲げた四角形状の二つ折り型カイロを示したが、カイロの形状はこれに限定されず、例えば、正方形状の通気性シート３と非通気性シート４からなる袋体２を対角線で折り曲げた三角形状の二つ折り型カイロとしたり、円形又は楕円形の通気性シート３と非通気性シート４からなる袋体２の直径部分若しくは長さ方向中央部分で折り曲げた半円形状又は半楕円形状の二つ折り型カイロとするなど、適宜選択可能である。
【００３０】
以上、本発明に係る使い捨てカイロの実施形態例を図面に基づいて説明したが、本発明は図示例に限定されるものではなく、特許請求の範囲に記載された技術的思想の範疇において各種の変更が可能であることは言うまでもない。
【図面の簡単な説明】
【００３１】
【図１】本発明を「貼らないタイプ」の使い捨てカイロに適用した実施形態の一例に係り、カイロを広げた状態（使用状態）の斜視図である。
【図２】図１に示すカイロの中央縦断面図である。
【図３】図２に示すカイロの難剥離性接合部の拡大図である。
【図４】図１に係るカイロを二つ折りにした状態（包装状態）の斜視図である。
【図５】図４に示すカイロの中央縦断面図である。
【図６】本発明を「貼るタイプ」の使い捨てカイロに適用した実施形態の一例に係り、カイロを二つ折りにした状態（包装状態）の斜視図である。
【図７】図６に示すカイロの中央縦断面図である。
【図８】図６に示すカイロを広げた状態（使用状態）の斜視図である。
【符号の説明】
【００３２】
ａ：使い捨てカイロ（貼らないタイプ）
ａ’：使い捨てカイロ（貼るタイプ）
１：発熱材
２：袋体
３：通気性シート
４：非通気性シート
５：難剥離性接合部
６：易剥離性接合部
７ａ，７ｂ：操作片
１０：折り曲げ部分
１１：粘着剤層
１２：剥離シート
【図１】
0004820209.tif 000002
【図２】
0004820209.tif 000003
【図３】
0004820209.tif 000004
【図４】
0004820209.tif 000005
【図５】
0004820209.tif 000006
【図６】
0004820209.tif 000007
【図７】
0004820209.tif 000008
【図８】
0004820209.tif 000009